(57)【要約】      （修正有）【課題】洗浄効果を向上させる頭皮洗浄ブラシを提供する。【解決手段】筐体２を含む頭皮洗浄ブラシ１であって、筐体２に突状に設けられた複数の案内部３と、複数の案内部３にそれぞれ接続された複数の先頭部４と、を含み、先頭部４は軟質素材から形成されている。【選択図】図１
0003207092.tif 000002
【実用新案登録請求の範囲】
【請求項１】
筐体を含む頭皮洗浄ブラシであって、
前記筐体に突状に設けられた複数の案内部と、
複数の前記案内部にそれぞれ接続された複数の先頭部と、を含み、
前記先頭部は軟質素材から形成されている
ことを特徴とする頭皮洗浄ブラシ。
【請求項２】
請求項１に記載の頭皮洗浄ブラシであって、
前記案内部は、空洞を含んで形成されている
ことを特徴とする頭皮洗浄ブラシ。
【請求項３】
請求項１に記載の頭皮洗浄ブラシであって、
前記案内部は、上下方向に貫通する貫通路を有する管状に形成されている
ことを特徴とする頭皮洗浄ブラシ。
【請求項４】
請求項３に記載の頭皮洗浄ブラシであって、
前記先頭部は、頭皮と当接する先端部と、前記案内部と嵌合する根元部とを含む
ことを特徴とする頭皮洗浄ブラシ。
【請求項５】
請求項４に記載の頭皮洗浄ブラシであって、
前記先頭部は、前記案内部又は前記筐体に係止される係止部を含む
ことを特徴とする頭皮洗浄ブラシ。
【請求項６】
請求項３〜５のいずれか一項に記載の頭皮洗浄ブラシであって、
前記筐体は、貯蔵空間を含み、
前記先頭部は、上下方向に貫通するとともに、前記貯蔵空間と連通する流路を含む
ことを特徴とする頭皮洗浄ブラシ。
【請求項７】
請求項４又は５に記載の頭皮洗浄ブラシであって、
前記筐体は、貯蔵空間を含み、
前記先頭部は、上下方向に貫通するとともに、前記貯蔵空間と連通する流路を含み、
前記先頭部の前記根元部における流路は、前記案内部の前記貫通路に内包されている
ことを特徴とする頭皮洗浄ブラシ。
【請求項８】
請求項６又は７に記載の頭皮洗浄ブラシであって、
前記貯蔵空間に収容された液体の流出を促進するためのポンプ部を有する
ことを特徴とする頭皮洗浄ブラシ。
【請求項９】
請求項４、５又は７に記載の頭皮洗浄ブラシであって、
前記先頭部は、前記先端部がベローズとして形成されている
ことを特徴とする頭皮洗浄ブラシ。
【請求項１０】
請求項６〜８のいずれか一項に記載の頭皮洗浄ブラシであって、
前記先頭部は、調整弁を含む
ことを特徴とする頭皮洗浄ブラシ。
【請求項１１】
請求項１０に記載の頭皮洗浄ブラシであって、
前記調整弁は、略球体状、略楕円球体状、又は略円盤体状である
ことを特徴とする頭皮洗浄ブラシ。
【請求項１２】
請求項１〜１１のいずれか一項に記載の頭皮洗浄ブラシであって、
前記先頭部は、頭皮と当接する当接突起を含む
ことを特徴とする頭皮洗浄ブラシ。
【請求項１３】
請求項１〜１２のいずれか一項に記載の頭皮洗浄ブラシであって、
前記案内部は、滑り性が高く形成されている
ことを特徴とする頭皮洗浄ブラシ。
【考案の詳細な説明】
【技術分野】
【０００１】
本考案は、頭皮洗浄ブラシに関する。
【背景技術】
【０００２】
毛髪や頭皮の洗浄効果を向上させるために、ブラシを用いることがある。一方、専用の洗浄具として「複数の洗浄突起部（２）を幅の有る楔状として任意の形状で配置し、洗浄突起部（２）の突起部頂点（３）を若干内側に傾けて頭皮に押し付ける上下移動と洗浄突起部（２）の柔軟性で、若干内側に傾けていた複数の突起部頂点（３）を更に内側に傾けて移動させ、表皮（５）を摘む様に揉み出して皮脂の揉み出し洗浄を行」う皮脂洗浄具が提案されている。
【先行技術文献】
【特許文献】
【０００３】
【特許文献１】特開２００９−２２５５２号公報
【考案の概要】
【考案が解決しようとする課題】
【０００４】
しかしながら、通常のブラシは、頭皮と当接する部分が硬質素材からなっているため、頭皮を傷つける恐れがある。一方、上記特許文献１に記載の皮脂洗浄具は、毛髪を十分にかきわけることができず、頭皮を十分に洗浄できない恐れがある。また、洗浄の際には毛髪ではなく頭皮に洗浄液を届くようにすることが推奨されているが、通常のブラシや上記皮脂洗浄具はこのような機能が備えられていない。
【０００５】
本考案は、上記課題の少なくとも一つを解決するためのもので、洗浄効果を向上させる頭皮洗浄ブラシを提供することを目的とする。
【課題を解決するための手段】
【０００６】
上記課題を解決するために、本願に係る頭皮洗浄ブラシは、筐体を含む頭皮洗浄ブラシであって、前記筐体に突状に設けられた複数の案内部と、複数の前記案内部にそれぞれ接続された複数の先頭部と、を含み、前記先頭部は軟質素材から形成されている。
【０００７】
また、前記案内部は、空洞を含んで形成されていてもよい。
【０００８】
また、前記案内部は、上下方向に貫通する貫通路を有する管状に形成されていてもよい。
【０００９】
また、前記先頭部は、頭皮と当接する先端部と、前記案内部と嵌合する根元部とを含んでもよい。
【００１０】
また、前記先頭部は、前記案内部又は前記筐体に係止される係止部を含んでもよい。
【００１１】
また、前記筐体は、貯蔵空間を含み、前記先頭部は、上下方向に貫通するとともに、前記貯蔵空間と連通する流路を含んでもよい。
【００１２】
また、前記先頭部の前記根元部における流路は、前記案内部の前記貫通路に内包されていてもよい。
【００１３】
また、前記貯蔵空間に収容された液体の流出を促進するためのポンプ部を有してもよい。
【００１４】
また、前記先頭部は、前記先端部がベローズとして形成されていてもよい。
【００１５】
また、前記先頭部は、調整弁を含んでもよい。
【００１６】
また、前記調整弁は、略球体状、略楕円球体状、又は略円盤体状であってもよい。
【００１７】
また、前記先頭部は、頭皮と当接する当接突起を含んでもよい。
【００１８】
また、前記案内部は、滑り性が高く形成されていてもよい。
【考案の効果】
【００１９】
本考案によれば、洗浄効果を向上させる頭皮洗浄ブラシを提供することを目的とする。
【図面の簡単な説明】
【００２０】
【図１】実施形態１に係る頭皮洗浄ブラシの外観を示す図で、図１（ａ）は正面図、図１（ｂ）は底面図である。
【図２】実施形態１に係る頭皮洗浄ブラシの構成を説明するための図である。
【図３】実施形態１に係る頭皮洗浄ブラシの他の例を説明するための図である。
【図４】実施形態１の変形例１に係る頭皮洗浄ブラシの構成を説明するための図である。
【図５】実施形態１の変形例２に係る頭皮洗浄ブラシの構成を説明するための図である。
【図６】実施形態２に係る頭皮洗浄ブラシの構成を説明するための図である。
【図７】実施形態２に係る頭皮洗浄ブラシの他の例を説明するための図である。
【図８】実施形態２の変形例１に係る頭皮洗浄ブラシの構成を説明するための図である。
【図９】実施形態２の変形例２に係る頭皮洗浄ブラシの構成を説明するための図である。
【図１０】実施形態２の変形例２に係る頭皮洗浄ブラシの構成を説明するための図である。
【図１１】実施形態２の変形例２に係る頭皮洗浄ブラシの構成を説明するための図である。
【図１２】実施形態２の変形例２に係る頭皮洗浄ブラシの構成を説明するための図である。
【図１３】実施形態３に係る頭皮洗浄ブラシを説明するための図である。
【図１４】本願に係る頭皮洗浄ブラシの他の例を説明するための図である。
【考案を実施するための形態】
【００２１】
以下、図面を参照して本願に係る頭皮洗浄ブラシの実施形態の例を説明する。以下では、頭皮に近づく方向を「下方」とし、その逆方向を「上方」とする。
【００２２】
＜実施形態１＞
図１は、実施形態１に係る頭皮洗浄ブラシ１の外観を示す図で、図１（ａ）は正面図、図１（ｂ）は底面図である。図２は、頭皮洗浄ブラシ１の構成を説明するための図であり、図１（ｂ）におけるＡＡ線端面図である。
【００２３】
頭皮洗浄ブラシ１は、筐体２と、複数の案内部３と、複数の先頭部４と、を含む。案内部３は、筐体２に突状に設けられ、先頭部４は案内部３に接続される。また、図示のように、頭皮洗浄ブラシ１は、ハンドル５を備えてもよい。なお、ハンドル５は、従来技術を用いることができ、ここでは説明を省略する。以下では、筐体２、案内部３及び先頭部４の例を説明する。
【００２４】
筐体２は、上部を構成する上部筐体２１と、下部を構成する下部筐体２２とを含む。上部筐体２１と下部筐体２２とは、一体に形成されてもよい。また、別体に形成され、着脱可能であってもよい。本実施形態では、別体に形成されるものとして説明する。一例として、上部筐体２１と下部筐体２２とは、一方に突部を、他方に凹部を設けて、突部と凹部とが係合するように形成されてもよいし、一方に雄ネジを、他方に雌ネジを設けて螺合するように形成されてもよい。
【００２５】
下部筐体２２は、硬質素材から形成され、例えば、ポリプロピレンやＡＢＳ樹脂等が用いられる。筐体２は、ここでは、底面視略楕円形状に形成される例を図示しているが、円形や矩形等他の形状に形成されてもよい。筐体２は、手に収まる程度の大きさであることが望ましく、最大幅を８０ｍｍ〜１２０ｍｍ程度とすることができる。また、筐体２は、持ちやすいように、周囲に指に沿った凹みや、指を入れる穴などを設けてもよい。
【００２６】
複数の案内部３は、筐体２に突設されて、洗浄作業時に毛髪をかきわけたりして毛髪と当接（接触）する部分である。複数の案内部３は、下部筐体２２に下向きに突設される。複数の案内部３は、下部筐体２２と一体に形成されてもよいし、別体に形成された後に取り付けられてもよい。
【００２７】
案内部３は、一例として、硬質素材から形成され、例えば、ポリプロピレンやＡＢＳ樹脂等が用いられる。好ましくは、案内部３は、先頭部４より滑り性が高い。または、案内部３は、少なくともその表面において、先頭部４より滑り性が高い。案内部３は、棒状に形成されてよいし、空洞を含んで一部又は全体が管状に形成されてもよい。空洞は、下端側（筐体に近接する上端側の反対側）に形成されることが望ましい。
【００２８】
一例として、案内部３は、空洞が上下方向に貫通して貫通路３１を有する管状に形成される。例えば、案内部３は、図示のように下方に向かって漸次縮径する形状に形成されてもよいし、上下同径に形成されてもよい。ここでは、案内部３は、図示のように、略漏斗状に形成されるものとする。また、ここでは、案内部３は、円形管状であってもよいし、図３（ｂ）に示すような楕円形管状等であってもよい。
【００２９】
案内部３は、一例として、上端側の最大幅（外径）Ｌ１を４ｍｍ〜１２ｍｍとし、下端側の最大幅（外径）Ｓ１を２ｍｍ〜８ｍｍとすることができる。案内部３の高さＨ１は、一例として、１３ｍｍ〜３５ｍｍ程度とすることができる。案内部３の数は、筐体２や案内部３の幅等に応じて適宜設定することができ、一例として、１０個〜３０個程度とすることができる。
【００３０】
案内部３は所定の間隔で筐体２に配置され、本実施形態では、一例として、図示のように、略同心楕円状に配置される。
【００３１】
先頭部４は、案内部３に接続されて、洗浄作業時に頭皮と当接（接触）する部分である。先頭部４は、軟質素材から形成され、例えば、エラストマー、シリコーン等の軟質樹脂が用いられる。先頭部４の硬度は、一例として、２０〜９０の範囲内とし、例えば、４０〜８０とすることができる。先頭部４は、案内部３の下端側において、これを封じるように接続される。また、先頭部４は、交換式としてもよい。例えば、先頭部４は、案内部３に着脱可能に構成されて、摩耗や破損等場合に取り換えられるようにすることができる。
【００３２】
先頭部４は、頭皮と当接する先端部４１と、根元部４２とを含む。先頭部４は、案内部３が棒状に形成される場合は、根元部４２が例えば中央部分が凹部状に形成され、棒状案内部３と嵌合するように形成される。また、案内部３が管状に形成される場合は、根元部４２が例えば棒状に形成され、管状案内部３と嵌合するように形成される。
【００３３】
先頭部４は、ここでは、図示のように、根元部４２の外径が案内部３の内径とほぼ同大に形成されてこれを下方から閉塞し、先端部４１の接続面の外径が案内部３の外径と同大に形成されてこれを下方から覆うように形成される。
【００３４】
先端部４１は、好ましくは、図示のように、頭皮との当接面が丸みを有する形状に形成される。また、図３（ａ）に示すように、先端部４１は、頭皮との当接面に当接突起４１１を備えてもよい。当接突起４１１は、図示のように１つであってもよいし、複数であってもよい。先端部４１の高さＨ２は、材質等を考慮して適宜設定することができ、例えば、２ｍｍ〜１０ｍｍ程度とすることができる。
【００３５】
先頭部４は、一例として予め成型された案内部３に対してエラストマーで二重成型することによってこれと接続されてもよいし、一例としてシリコーンで別途成型してから案内部３に嵌め込んで接続されてもよい。
【００３６】
頭皮洗浄ブラシ１は、頭皮と当接する先頭部４が軟質素材で形成されているため、頭皮にやさしく当接し、これを動かすことで洗浄効果を向上させ、マッサージ効果も得ることができる。
【００３７】
また、頭皮洗浄ブラシ１は、毛髪と当接する案内部３を硬質素材で形成することで、毛髪が絡みつきにくく、スムーズに動かすことができ、洗浄ないしマッサージ効果を向上させることができる。
【００３８】
なお、図３（ｂ）に示すように、案内部３は、必ずしも、先頭部４の周囲を全て包囲するものでなくてもよい。
【００３９】
＜実施形態１の変形例１＞
図４は、実施形態１の変形例１に係る頭皮洗浄ブラシ１ａの構成を説明するための図である。以下、上記実施形態と共通する部分については同様な符号を付してその説明を省略する。
【００４０】
頭皮洗浄ブラシ１ａは、筐体２と、案内部３ａと、先頭部４ａと、を含む。案内部３ａは、洗浄作業時に毛髪をかきわけたりして毛髪と当接する部分であり、好ましくは、硬質素材から形成される。先頭部４ａは、頭皮と当接する部分であり、一例として、軟質素材から形成される。好ましくは、案内部３ａは、先頭部４ａより滑り性が高い。または、案内部３は、少なくともその表面において、先頭部４より滑り性が高い。
【００４１】
案内部３ａは、ここでは、貫通路３１を有し、例えば、図示のように、略漏斗状に形成される。案内部３ａは、堤部３２ａを有する。堤部３２ａは、案内部３ａの内壁面から、貫通路３１に向かって突出し、貫通路３１を狭めるように形成される。好ましくは、堤部３２ａは、内壁面の全周に亘って形成される。案内部３ａのその他の構成は、実施形態１と同様であり、説明を省略する。
【００４２】
先頭部４ａは、根元部４２ａに係止部４２１ａが設けられる。係止部４２１ａは、堤部３２ａに挟まれる部分と堤部３２ａの上方に位置してこれに係止される部分を含む。先頭部４ａのその他の構成は、実施形態１と同様であり、説明を省略する。
【００４３】
係止部４２１ａは、一例として、予め成型された案内部３ａに対してエラストマーで二重成型することによって形成することができる。より具体的には、例えば、図示のように、ゲートＧからの軟質素材が、案内部３ａの貫通路３１に流入し、さらに堤部３２ａを通りぬけてその上方に到達して、係止部４２１ａが形成される。
【００４４】
頭皮洗浄ブラシ１ａは、案内部３ａに堤部３２ａを、先頭部４ａに係止部４２１ａを設けることで、さらに、先頭部４ａと案内部３ａとの接続強度を向上させることができる。また、金型の構造を簡略化することもできる。
【００４５】
＜実施形態１の変形例２＞
図５は、実施形態１の変形例２に係る頭皮洗浄ブラシ１ｂの構成を説明するための図である。以下、上記実施形態と共通する部分については同様な符号を付してその説明を省略する。
【００４６】
頭皮洗浄ブラシ１ｂは、筐体２と、案内部３と、先頭部４ｂと、を含む。案内部３は、洗浄作業時に毛髪をかきわけたりして毛髪と当接する部分であり、好ましくは、硬質素材から形成される。先頭部４ｂは、頭皮と当接する部分であり、一例として、軟質素材から形成される。好ましくは、案内部３は、先頭部４ｂより滑り性が高い。または、案内部３は、少なくともその表面において、先頭部４より滑り性が高い。
【００４７】
案内部３は、ここでは、貫通路３１を有し、例えば、図示のように、略漏斗状に形成される。
【００４８】
先頭部４ｂの根元部４２ｂには、係止部４２１ｂが設けられる。係止部４２１ｂは、下部筐体２２に係止される部分である。係止部４２１ｂは、一例として、成型の際に加熱した溶融状態の材料が、案内部３の貫通路３１から流入し、案内部３を通り抜けて下部筐体２２に達して形成される。なお、ここでは図示しないが、係止部４２１ｂは、複数の先頭部それぞれの係止部が連結されるように形成されてもよい。
【００４９】
頭皮洗浄ブラシ１ｂは、係止部４２１ｂを設けることで、さらに、先頭部４ｂと案内部３との接続強度を向上させることができる。
【００５０】
＜実施形態２＞
図６は、実施形態２に係る頭皮洗浄ブラシ１ｃを説明するための図である。以下、上記実施形態と共通する部分については同様な符号を付してその説明を省略する。
【００５１】
頭皮洗浄ブラシ１ｃは、筐体２と、複数の案内部３と、複数の先頭部４ｃと、を含む。案内部３は、洗浄作業時に毛髪をかきわけたりして毛髪と当接する部分であり、好ましくは、硬質素材から形成される。先頭部４ｃは、頭皮と当接する部分であり、好ましくは、軟質素材から形成される。好ましくは、案内部３は、先頭部４ｃより滑り性が高い。または、案内部３は、少なくともその表面において、先頭部４より滑り性が高い。
【００５２】
案内部３は、ここでは、貫通路３１を有し、例えば、図示のように、略漏斗状に形成される。
【００５３】
先頭部４ｃは、頭皮と直接当接する先端部４１ｃと、根元部４２ｃとを含む。また、根元部４２ｃには、下部筐体２２に係止される部分である係止部４２１ｃが設けられる。
【００５４】
先頭部４ｃは、先端部４１ｃに上下方向に貫通する先端流路４１２ｃが設けられる。好ましくは、先端流路４１２ｃは、頭皮との当接面において縮径して流出口４１３ｃが形成される。
【００５５】
また、先頭部４ｃは、根元部４２ｃに上下方向に貫通する根元流路４２２ｃが設けられる。根元流路４２２ｃは、案内部３の貫通路３１に内包されることになる。根元流路４２２ｃは、先端流路４１２ｃと連通する。また、先端流路４１２ｃは、根元流路４２２ｃを通して、筐体２における貯蔵空間、具体的には下部筐体２２と上部筐体２１との間の空間ないし下部筐体２２における空間に連通する。
【００５６】
洗浄作業時には、貯蔵空間にシャンプーやトリートメント等の液体を投入し、これが流出口４１３ｃから流出されることによって、頭皮や毛髪に簡便に液体を付けることができる。
【００５７】
上記のように、頭皮洗浄ブラシ１ｃは、筐体に貯蔵空間を含み、さらに、案内部３に貫通路、先頭部４ｃに流路を設けることで、洗浄の際にシャンプーやトリートメント等の液体を簡便に頭皮に届けることができる。
【００５８】
なお、頭皮洗浄ブラシ１ｃは、図７に示すように、上記先頭部４ｂを含んでもよい。すなわち、頭皮洗浄ブラシ１ｃにおける先頭部は、流路を有しない先頭部４ｂと流路を有する先頭部４ｃの両方を含んで構成されてもよい。
【００５９】
＜実施形態２の変形例１＞
図８は、実施形態２の変形例１に係る頭皮洗浄ブラシ１ｄを説明するための図である。以下、上記実施形態と共通する部分については同様な符号を付してその説明を省略する。
【００６０】
頭皮洗浄ブラシ１ｄは、筐体２ｄと、複数の案内部３と、複数の先頭部４ｃと、を含む。案内部３は、洗浄作業時に毛髪をかきわけたりして毛髪と当接する部分であり、好ましくは、硬質素材から形成される。先頭部４ｃは、頭皮と当接する部分であり、好ましくは、軟質素材から形成される。先頭部４ｃは、実施形態２と同様であり、説明を省略する。
【００６１】
筐体２ｄは、上部を構成する上部筐体２１ｄと、下部を構成する下部筐体２２とを含む。上部筐体２１ｄは、軟質素材から形成される。上部筐体２１ｄには、液体の流出を促進するためのポンプ部２１１ｄが設けられる。
【００６２】
一例として、ポンプ部２１１ｄは、先頭部４ｃに応じた位置にこれに応じた形状に形成される。より具体的には、ポンプ部２１１ｄは、上部筐体２１ｄの先頭部４ｃに対応した位置に形成され、先頭部４ｃと呼応して上部筐体２１ｄに下向きに突設して形成される。例えば、図示のように、ポンプ部２１１ｄは、略棒状に形成され、縮径して段差を有する形状に形成することができる。
【００６３】
洗浄の際には、図示のように、上部筐体２１におけるポンプ部２１１ｄに対応した部分を外側から押下することで、流出口４１３ｃからの液体の流出を促進させることができる。
【００６４】
＜実施形態２の変形例２＞
図９〜図１２は、実施形態２の変形例２に係る頭皮洗浄ブラシ１ｅの構成を説明するための図である。以下、上記実施形態と共通する部分については同様な符号を付してその説明を省略する。
【００６５】
頭皮洗浄ブラシ１ｅは、筐体２ｅと、複数の案内部３と、複数の先頭部４ｅと、を含む。筐体２ｅは、上部筐体２１ｅと、下部筐体２２とを含み、上部筐体２１ｅには蓋部２１２ｅが設けられる。シャンプーやトリートメント等の液体は、蓋部２１２ｅから、投入することができる。
【００６６】
案内部３は、洗浄作業時に毛髪をかきわけたりして毛髪と当接する部分であり、好ましくは、硬質素材から形成される。先頭部４ｅは、頭皮と当接する部分であり、軟質素材から形成される。好ましくは、案内部３は、先頭部４ｅより滑り性が高い。または、案内部３は、少なくともその表面において、先頭部４より滑り性が高い。
【００６７】
先頭部４ｅは、頭皮と直接当接する先端部４１ｅと、根元部４２ｃとを含む。先端部４１ｅは、ベローズとして形成される。また、先端部４１ｅは、液体の流出を調整する調整弁４１４ｅを含む。
【００６８】
調整弁４１４ｅは、図９に示すように略楕円球体状であってもよいし、図１０に示すように略球体状であってもよいし、図１１に示すように略円盤体状であってもよいし、図１２に示すように略楕円円盤状であってもよい。また、図１１及び図１２に示すように、本体の上方及び下方の一方又は双方に垂直に棒状部を設けてもよい。
【００６９】
また、調整弁４１４ｅは、図９に示すようにベローズの下端において流出口４１３ｅを塞ぐ位置に配置されてもよいし、図１０〜図１２に示すように、ベローズの山部と山部との間の谷部を塞ぐ位置に配置されてもよい。
【００７０】
調整弁４１４ｅは、通常、先頭部４ｅの流路を塞ぐ第１位置、例えば、図示のように、流出口４１３ｅないし谷部を塞いで流路を塞ぐ位置にあり、閉弁状態となるので、液体は流出しない。一方、図９（ｂ）及び図１０（ｂ）、図１１、図１２（ｂ）に示すように、先端部４１ｅが押圧されと（頭皮に押しつけると）、調整弁４１４ｅは第１位置から離れて、開弁状態となり、液体が流出する。
【００７１】
また、先頭部４ｅは、先端部４１ｅが押圧されると（頭皮に押し付けられると）、図１０（ｂ）、図１２（ｂ）に示すように、調整弁４１４ｅが先端部４１ｅの流入口を塞ぐように構成することができ、逆流弁としての機能も備えることができる。これによって、汚れた洗浄液等の流路への逆流を防止することができる。
【００７２】
頭皮洗浄ブラシ１ｅは、先頭部４ｅをベローズとして構成し、さらに調整弁を設けることで、液体の流出を制御することができる。
【００７３】
また、図示しないが、頭皮洗浄ブラシ１ｅは、先頭部４ｅに逆流防止弁を別途設けてもよい。また、頭皮洗浄ブラシ１ｅは、上部筐体２ｅに空気弁を設けてもよい。これによって、貯蔵空間における空気圧を調整することができる。
【００７４】
＜実施形態３＞
図１３は、実施形態３に係る頭皮洗浄ブラシ１ｆの構成を説明するための図である。以下、上記実施形態と共通する部分については同様な符号を付してその説明を省略する。
【００７５】
頭皮洗浄ブラシ１ｆは、筐体２ｆと、複数の案内部３ｆと、複数の先頭部４ｆと、を含む。案内部３ｆは、筐体２ｆに突状に設けられ、先頭部４ｆは案内部３ｆに接続される。また、図示のように、頭皮洗浄ブラシ１ｆは、ハンドル５ｆを備えてもよい。なお、ハンドル５ｆは、従来技術を用いることができ、ここでは説明を省略する。
【００７６】
筐体２ｆは、貯蔵空間を含んで形成される。また、筐体２ｆは、硬質素材から形成され、例えば、ポリプロピレンやＡＢＳ樹脂等が用いられる。筐体２１ｆには蓋部２１２ｆが設けられ、シャンプーやトリートメント等の液体は、蓋部２１２ｆから、投入することができる。
【００７７】
複数の案内部３ｆは、筐体２ｆに突設されて、洗浄作業時に毛髪をかきわけたりして当接（接触）する部分である。複数の案内部３は、筐体２ｆに下向きに突設される。複数の案内部３ｆは、筐体２ｆと一体に形成されてもよいし、別体に形成された後に取り付けられてよい。
【００７８】
案内部３ｆは、好ましくは、硬質素材から形成され、例えば、ポリプロピレンやＡＢＳ樹脂等が用いられる。好ましくは、案内部３ｆは、先頭部４ｆより滑り性が高い。または、案内部３は、少なくともその表面において、先頭部４より滑り性が高い。案内部３ｆは、上下に貫通し貯蔵空間と連通する貫通路３１ｆを有して管状に形成される。
【００７９】
先頭部４ｆは、案内部３ｆに接続されて、洗浄作業時に頭皮と当接（接触）する部分である。先頭部４ｆは、軟質素材から形成され、例えば、エラストマー、シリコーン等の軟質樹脂が用いられる。先頭部４ｆは、ベローズとして構成される。また、先頭部４ｆは、好ましくは、図示のように、頭皮との当接面が丸みを有する形状に形成される。
【００８０】
頭皮洗浄ブラシ１ｆは、頭皮と当接する先頭部４ｆが軟質素材で形成されているため、頭皮にやさしく当接し、これを動かすことで洗浄効果を向上させ、マッサージ効果も得ることができる。
【００８１】
また、頭皮洗浄ブラシ１ｆは、毛髪をかきわけたりして毛髪と当接する案内部３ｆを硬質素材で形成することで、毛髪が絡みつきにくく、スムーズに動かすことができ、洗浄ないしマッサージ効果を向上させることができる。
【００８２】
案内部３に貫通路、先頭部４ｃに流路を設けることで、洗浄の際にシャンプーやトリートメント等の液体を簡便に頭皮に届けることができる。
【００８３】
以上、本考案に係る頭皮洗浄ブラシの実施形態について説明したが、これらは本考案の実施形態の一例に過ぎず、本考案はこれらに限定されるものではない。本考案には、以上の各実施形態を組み合わせた形態や、様々な変形例が含まれる。
【００８４】
例えば、図１４に示すように、本願に係る頭皮洗浄ブラシ１ｇは、さらに、用毛から構成される毛束部６ｆを含んでもよい。
【符号の説明】
【００８５】
１、１ａ、１ｂ、１ｃ、１ｄ、１ｅ、１ｆ、１ｇ、  頭皮洗浄ブラシ
２、２ｄ、２ｅ、２ｆ                            筐体
２１、２１ｄ                                    上部筐体
２１１ｄ                                        ポンプ部
２１２ｅ、２１２ｆ                              蓋部
２２                                            下部筐体
３、３ａ                                        案内部
３１、３１ｆ                                    貫通路
３２ａ                                          堤部
４、４ａ、４ｂ、４ｃ、４ｅ、４ｆ                先頭部
４１、４１ｃ、４１ｅ、４１ｆ                    先端部
４１１                                          当接突起
４１２ｃ、４１２ｅ                              先端流路
４１３ｃ、４１３ｅ                              流出口
４１４ｅ                                        調整弁
４２、４２ａ、４２ｂ、４２ｃ                    根元部
４２１ａ、４２１ｂ、４２１ｃ                    係止部
４２２ｃ                                        根元流路
５                                              ハンドル
【図１】
0003207092.tif 000003
【図２】
0003207092.tif 000004
【図３】
0003207092.tif 000005
【図４】
0003207092.tif 000006
【図５】
0003207092.tif 000007
【図６】
0003207092.tif 000008
【図７】
0003207092.tif 000009
【図８】
0003207092.tif 000010
【図９】
0003207092.tif 000011
【図１０】
0003207092.tif 000012
【図１１】
0003207092.tif 000013
【図１２】
0003207092.tif 000014
【図１３】
0003207092.tif 000015
【図１４】
0003207092.tif 000016